(57)【要約】【課題】  干渉防止機能について、安全性を維持しつつ臨床有用性を向上させる。【解決手段】  実施形態に係るＸ線診断装置は、各手段を具備する。保持手段は、Ｘ線発生部及びＸ線検出器を移動可能に保持する。画像生成手段は、前記Ｘ線検出器の出力に基づいて、前記被検体のＸ線画像を生成する。前記特定手段は、前記ランドマーク情報を参照することにより、前記生成されたＸ線画像から前記対象物の位置及びサイズを特定する。前記導出手段は、前記特定した位置及びサイズと、前記Ｘ線画像の幾何学的な撮影条件とに基づいて、前記対象物、前記天板及び前記被検体を含む干渉物の位置及びサイズを導出する。前記更新手段は、前記導出した位置及びサイズに基づいて、前記Ｘ線発生部及び前記Ｘ線検出器を含む保持手段全体と前記干渉物との間の干渉判定領域を更新する。前記制御手段は、前記更新された干渉判定領域に基づいて、前記移動を制御する。【選択図】図１
2018075132.tif 000002
【特許請求の範囲】
【請求項１】
天板上に載置された被検体に照射するＸ線を発生するＸ線発生部と、
前記被検体を透過したＸ線を検出するＸ線検出器と、
前記Ｘ線発生部及び前記Ｘ線検出器を移動可能に保持する保持手段と、
前記Ｘ線検出器の出力に基づいて、前記被検体のＸ線画像を生成する画像生成手段と、
Ｘ線画像から検出可能なランドマーク情報と、前記ランドマーク情報に対応する対象物の位置及びサイズとを関連付けて記憶する記憶手段と、
前記ランドマーク情報を参照することにより、前記生成されたＸ線画像から前記対象物の位置及びサイズを特定する特定手段と、
前記特定した位置及びサイズと、前記Ｘ線画像の幾何学的な撮影条件とに基づいて、前記対象物、前記天板及び前記被検体を含む干渉物の位置及びサイズを導出する導出手段と、
前記導出した位置及びサイズに基づいて、前記Ｘ線発生部及び前記Ｘ線検出器を含む保持手段全体と前記干渉物との間の干渉判定領域を更新する更新手段と、
前記更新された干渉判定領域に基づいて、前記移動を制御する制御手段と、
を具備するＸ線診断装置。
【請求項２】
前記保持手段全体が移動した軌跡を示す動作履歴を保持する履歴保持手段を備え、
前記更新手段は、前記動作履歴に基づいて、前記軌跡に対応する領域を除外するように前記干渉判定領域を更新する、請求項１に記載のＸ線診断装置。
【請求項３】
前記保持手段全体が移動した軌跡を示す動作履歴を保持する履歴保持手段を備え、
前記制御手段は、前記動作履歴に基づいて、前記干渉判定領域内での移動速度を変更する、請求項１に記載のＸ線診断装置。
【請求項４】
所定の条件を満たす場合をトリガとして、前記除外した領域を戻すように前記干渉判定領域を初期化する初期化手段を備えた請求項２に記載のＸ線診断装置。
【請求項５】
前記制御手段は、前記保持手段全体と前記干渉物との間の距離が小さくなる動作に応じて前記干渉判定領域が更新される場合には、前記除外された領域内での移動速度を低下させるように前記移動を制御する、請求項２又は請求項４に記載のＸ線診断装置。
【発明の詳細な説明】
【技術分野】
【０００１】
本発明の実施形態は、Ｘ線診断装置に関する。
【背景技術】
【０００２】
一般に、循環器用のＸ線診断装置は、天板上に載置された被検体に対して手技を行う際に、Ｘ線発生部及びＸ線検出器を支持するＣアームを移動させて、所望の角度から被検体を撮影可能となっている。この種のＸ線診断装置としては、Ｘ線撮影の際に、Ｃアーム等の移動体と、被検体及び寝台等の干渉物との接触を防止する干渉防止機能が広く用いられている。
【０００３】
寝台等に対する干渉防止機能は、天板及び付属物等からなる寝台等を平板形状で表すモデルを用い、Ｘ線撮影の際に、移動体と当該モデルとの間のクリアランス（距離）を算出し、クリアランスがしきい値以下になると、警告音を鳴動させつつ、移動体を減速又は停止させる。
【０００４】
被検体に対する干渉防止機能は、干渉物を半円筒形状（かまぼこ形状）で表した平均的なモデルを用い、Ｘ線撮影の際に、移動体と当該モデルとの間のクリアランスを算出し、クリアランスがしきい値以下になると、警告音を鳴動させつつ、移動体を減速又は停止させる。これにより、Ｘ線撮影の際に、移動体と干渉物との接触が防止され、安全性が担保される。
【先行技術文献】
【特許文献】
【０００５】
【特許文献１】特開２００８−２７２２９０号公報
【発明の概要】
【発明が解決しようとする課題】
【０００６】
以上のような干渉防止機能は、通常は特に問題ないが、本発明者の検討によれば、移動体が減速又は停止する領域では、安全性を担保する一方、臨床有用性（使い勝手）を低下させてしまう可能性がある。
【０００７】
例えば、従来の干渉防止機能は、寝台及び患者以外を認識できないため、安全性を担保する観点から、移動体を減速又は停止させる領域を実際よりも広めに設定している。このため、従来の干渉防止機能によれば、移動体が無駄に減速又は停止するようにも見えることから、臨床有用性が低いという印象を医者等のユーザから持たれる可能性がある。
【０００８】
目的は、干渉防止機能について、安全性を維持しつつ臨床有用性を向上し得るＸ線診断装置を提供することである。
【課題を解決するための手段】
【０００９】
実施形態に係るＸ線診断装置は、Ｘ線発生部、Ｘ線検出器、保持手段、画像生成手段、記憶手段、特定手段、導出手段、更新手段及び制御手段を具備する。
【００１０】
前記Ｘ線発生部は、天板上に載置された被検体に照射するＸ線を発生する。
【００１１】
前記Ｘ線検出器は、前記被検体を透過したＸ線を検出する。
【００１２】
前記保持手段は、前記Ｘ線検出器を移動可能に保持する。
【００１３】
前記画像生成手段は、前記Ｘ線検出器の出力に基づいて、前記被検体のＸ線画像を生成する。
【００１４】
前記記憶手段は、Ｘ線画像から検出可能なランドマーク情報と、前記ランドマーク情報に対応する対象物の位置及びサイズとを関連付けて記憶する。
【００１５】
前記特定手段は、前記ランドマーク情報を参照することにより、前記生成されたＸ線画像から前記対象物の位置及びサイズを特定する。
【００１６】
前記導出手段は、前記特定した位置及びサイズと、前記Ｘ線画像の幾何学的な撮影条件とに基づいて、前記対象物、前記天板及び前記被検体を含む干渉物の位置及びサイズを導出する。
【００１７】
前記更新手段は、前記導出した位置及びサイズに基づいて、前記Ｘ線発生部及び前記Ｘ線検出器を含む保持手段全体と前記干渉物との間の干渉判定領域を更新する。
【００１８】
前記制御手段は、前記更新された干渉判定領域に基づいて、前記移動を制御する。
【図面の簡単な説明】
【００１９】
【図１】図１は、第１の実施形態に係るＸ線診断装置の構成を示す模式図である。
【図２】図２は、同実施形態におけるＸ線診断装置の構成を示す斜視図である。
【図３】図３は、同実施形態におけるＣＴ補助天板を説明するための斜視図である。
【図４】図４は、同実施形態における画像ファイルを説明するための模式図である。
【図５】図５は、同実施形態におけるテーブルを説明するための模式図である。
【図６】図６は、同実施形態における干渉物の位置及びサイズ等を説明するための模式図である。
【図７】図７は、同実施形態における干渉物の位置及びサイズ等を説明するための模式図である。
【図８】図８は、同実施形態における動作を説明するためのフローチャートである。
【図９】図９は、同実施形態におけるＸ線画像の一例を示す模式図である。
【図１０】図１０は、第２の実施形態に係るＸ線診断装置の動作を説明するためのフローチャートである。
【図１１】図１１は、同実施形態における動作を説明するための模式図である。
【図１２】図１２は、第３の実施形態に係るＸ線診断装置の構成を示す模式図である。
【図１３】図１３は、同実施形態における動作を説明するためのフローチャートである。
【図１４】図１４は、第４の実施形態に係るＸ線診断装置の動作を説明するためのフローチャートである。
【図１５】図１５は、同実施形態における動作を説明するための模式図である。
【図１６】図１６は、同実施形態における移動速度及び減速率を説明するための模式図である。
【図１７】図１７は、同実施形態における動作を説明するための模式図である。
【図１８】図１８は、同実施形態の変形例における移動速度及び減速率を説明するための模式図である。
【発明を実施するための形態】
【００２０】
以下、各実施形態について図面を用いて説明する。尚、以下の実施形態では、Ｘ線発生部及びＸ線検出器（撮像系）がその端部に装着された床置きＣアームを保持部とする循環器用のＸ線診断装置について述べるが、これに限定されるものではなく、例えば、保持部は天井吊りのＣアームやΩアームであってよく、又、循環器診断と消化器診断に対応した汎用のＸ線診断装置であっても構わない。  
＜第１の実施形態＞
図１は、第１の実施形態に係るＸ線診断装置の構成を示す模式図である。Ｘ線診断装置１００は、被検体１５０に対しＸ線を照射すると共に被検体１５０を透過したＸ線を検出して投影データを生成するＸ線撮影部１と、投影データに基づいて画像データを生成する画像生成回路６と、得られた画像データを表示する表示回路７と、Ｘ線撮影部１のＸ線発生部２及びＸ線検出器３（撮像系）を保持し被検体１５０の周囲で所定方向に移動あるいは回動させる保持部を備えた保持装置８と、被検体１５０を載置した天板を所定方向へ移動させる寝台部９を備えている。
【００２１】
更に、Ｘ線診断装置１００は、保持装置８及び寝台部９の各々に設けられた後述の各種移動機構部に対し駆動信号を供給する機構駆動部１０と、保持部及びこの保持部に取り付けられた撮像系の位置情報や寝台部９に設けられた天板の位置情報を検出する位置情報検出部１１と、記憶回路１２と、撮像系及び保持部の位置情報や天板の位置情報に基づいて撮像系及び保持部の被検体１５０に対する干渉の可能性を判定する処理回路１３と、この判定結果に基づいて警報を発する警報発生部１４と、被検体情報の入力、Ｘ線照射条件を含むＸ線撮影条件の設定、各種コマンド信号の入力等を行なう入力インタフェース回路１５と、上述の各ユニットを統括的に制御して被検体１５０に対し安全かつ効率のよいＸ線撮影を可能にするシステム制御回路１６を備えている。
【００２２】
Ｘ線撮影部１は、図１に示すようにＸ線発生部２、Ｘ線検出器３、投影データ生成回路４及び高電圧発生部５を備え、被検体１５０を透過したＸ線量に基づいて投影データを生成する機能を有している。
【００２３】
Ｘ線発生部２は、天板９１上に載置された被検体１５０に照射するＸ線を発生する。Ｘ線発生部２は、Ｘ線管と、Ｘ線管から照射されたＸ線に対してＸ線錘（コーンビーム）を形成するＸ線絞り器を備えている。Ｘ線管は、Ｘ線を発生する真空管であり、陰極（フィラメント）より放出された電子を高電圧によって加速させてタングステン陽極に衝突させＸ線を発生させる。Ｘ線絞り器は、Ｘ線管と被検体１５０の間に位置し、Ｘ線管から照射されたＸ線ビームを所定の照射視野のサイズに絞り込む。
【００２４】
Ｘ線検出器３は、被検体１５０を透過したＸ線を検出する。このようなＸ線検出器３としては、Ｘ線を直接電荷に変換するものと、光に変換した後、電荷に変換するものとが使用可能であり、ここでは前者を例に説明するが後者であっても構わない。即ち、本実施形態に係るＸ線検出器３は、被検体１５０を透過したＸ線を電荷に変換して蓄積する平面検出器と、この平面検出器に蓄積された電荷を読み出すための駆動パルスを生成するゲートドライバを備えている。
【００２５】
平面検出器は、微小な検出素子を２次元的に配列して構成され、各々の検出素子は、Ｘ線を感知し入射Ｘ線量に応じて電荷を生成する光電膜と、この光電膜に発生した電荷を蓄積する電荷蓄積コンデンサと、電荷蓄積コンデンサに蓄積された電荷を所定のタイミングで読み出すＴＦＴ（薄膜トランジスタ）（何れも図示せず）を備えている。そして、蓄積された電荷はゲートドライバが供給する駆動パルスによって順次読み出される。
【００２６】
次に、投影データ生成回路４は、平面検出器から行単位あるいは列単位でパラレルに読み出された電荷を電圧に変換する電荷・電圧変換器と、この電荷・電圧変換器の出力をデジタル信号に変換するＡ／Ｄ変換器と、デジタル変換されたパラレル信号を時系列的なシリアル信号に変換するパラレル・シリアル変換器を備えている。
【００２７】
高電圧発生部５は、Ｘ線管の陰極から発生する熱電子を加速するために、陽極と陰極の間に印加する高電圧を発生させる高電圧発生器と、システム制御回路１６から供給される指示信号に従い、高電圧発生器における管電流、管電圧、照射時間、照射タイミング等のＸ線照射条件を制御するＸ線制御部を備えている。
【００２８】
画像生成回路６は、図示しない投影データ記憶回路と画像演算回路を備える。投影データ記憶回路は、Ｘ線撮影部１の投影データ生成回路４から供給される時系列的な投影データを順次保存して２次元投影データを生成する。一方、画像演算回路は、投影データ記憶回路にて生成された２次元投影データに対しフィルタリング処理等の画像処理を行なって画像データを生成し、更に、得られた複数の画像データに対し合成処理や減算（サブトラクション）処理等を行なう。ここで、投影データ生成回路４及び画像生成回路６は、Ｘ線検出器の出力に基づいて、被検体のＸ線画像を生成する画像生成手段を構成している。
【００２９】
表示回路７は、医用画像などを表示するディスプレイと、ディスプレイに表示用の信号を供給する内部回路、ディスプレイと内部回路とをつなぐコネクタやケーブルなどの周辺回路から構成されている。内部回路は、画像生成回路６の画像演算回路から供給される画像データに被検体情報や投影データ生成条件等の付帯情報を重畳して表示データを生成し、得られた表示データに対しＤ／Ａ変換とＴＶフォーマット変換を行なってディスプレイに表示する。
【００３０】
一方、機構駆動部１０は、撮像系を所望の方向へ移動させるために保持装置８に設けられた各種移動機構部に対して駆動信号を供給する撮像系移動機構駆動部１０１と、被検体１５０を載置した天板を所望の方向へ移動させるために寝台部９に設けられた移動機構部に対し駆動信号を供給する天板移動機構駆動部１０２と、撮像系移動機構駆動部１０１及び天板移動機構駆動部１０２を制御する機構駆動制御部１０３を備えている。特に、機構駆動制御部１０３は、処理回路１３からシステム制御回路１６を介して供給される撮像系及び保持部の被検体１５０に対する干渉判定結果に基づいて撮像系移動機構駆動部１０１を制御し、保持部に取り付けられた撮像系の移動あるいは回動を減速させる機能を有している。
【００３１】
次に、保持装置８及び寝台部９の構成とこれらを構成する各ユニットの移動あるいは回動につき図２を用いて説明する。図２は、Ｘ線発生部２及びＸ線検出器３（撮像系）がその端部に取り付けられたＣアームを保持部８１とする保持装置８と被検体１５０が載置された天板９１を有する寝台部９を示しており、この図では、以下の説明を容易にするために被検体１５０の体軸方向（即ち、天板９１の長手方向）をｙ軸、保持部（Ｃアーム）８１を保持するスタンド８３の中心軸（回動軸）方向をｚ軸、ｙ軸及びｚ軸と直交する方向をｘ軸としている。
【００３２】
即ち、一方の端部（下端部）にＸ線発生部２が、又、他の端部（上端部）にＸ線検出器３が対向して取り付けられた保持部８１は、保持部ホルダ８２を介してスタンド８３に保持され、保持部ホルダ８２の側面には保持部８１が矢印ａの方向に対してスライド自在に取り付けられている。一方、保持部ホルダ８２は、スタンド８３に対し矢印ｂの方向に回動自在に取りつけられ、この保持部ホルダ８２の回動に伴って保持部８１もｘ軸を中心として回動する。又、保持部８１の端部には撮像系がｅ方向に対しスライド自在に取り付けられている。そして、ａ方向に対する保持部８１のスライド、ｂ方向に対する保持部ホルダ８２の回動及びｅ方向に対する撮像系のスライドにより、保持部８１の端部に取り付けられた撮像系を天板９１に載置された被検体１５０に対して任意の位置及び方向に設定することができる。
【００３３】
一方、床面１６０に配置された床旋回アーム８４の一方の端部は、床面１６０に対して回動軸ｚ１（第１の回動軸）で回動自在に取り付けられ、床旋回アーム８４の他の端部にはスタンド８３が、回動軸ｚ２（第２の回動軸）を中心に回動自在に取り付けられている。この場合、床旋回アーム８４の回動軸ｚ１及びスタンド８３の回動軸ｚ２は何れもｚ方向に対して設定される。
【００３４】
即ち、保持部８１の両端部に取り付けられた撮像系の位置情報は、保持部ホルダ８２に対する保持部８１のスライド移動距離、保持部ホルダ８２のｂ方向に対する回動角度、床旋回アーム８４のｄ方向に対する回動角度及びスタンド８３のｃ方向に対する回動角度、保持部８１に対する撮像系のスライド移動距離によって一義的に決定される。
【００３５】
従って、保持部８１、保持部ホルダ８２、スタンド８３及び床旋回アーム８４を所定方向へ移動あるいは回動させるために機構駆動部１０の撮像系移動機構駆動部１０１から保持装置８の各種移動機構部（即ち、保持部８１をスライド移動させる保持部スライド機構部、保持部ホルダ８２をｂ方向へ回動させる保持部ホルダ回動機構部、スタンド８３をｃ方向へ回動させるスタンド回動機構部、床旋回アーム８４をｄ方向へ回動させる床旋回アーム回動機構部及び撮像系をｅ方向へスライドさせる撮像系スライド機構部）の各々へ供給される駆動信号を検出（例えば、駆動パルス数を計数）することにより撮像系の位置情報を検出することが可能となる。
【００３６】
一方、寝台部９の寝台９２には、被検体１５０を載置した天板９１を体軸方向（ｆ方向）へ水平移動させるための水平移動機構部とｇ方向へ垂直移動させるための垂直移動機構部が設けられている。ここで、天板９１のｘ軸に沿った横幅は、被検体１５０の足部側、胴部側及び頭部側の３段階で異なっており、頭部側に向かうに従って短くなっている。また、天板９１は、図３に示すように、頭部側の長さを延長するＣＴ（computed tomography）組合せ用の延長補助天板９３が取り付け可能となっている。例えば、天板９１の頭部側の一部９１ａを延長補助天板９３裏側の天板ズレ止め９３ａの間にはめ込むと共に、天板９１の足側の側部に設けられた取り付けレール９１ｂに延長補助天板９３の足側の両側部に設けられた取り付け部９３ｂを取り付ければよい。このような延長補助天板９３は、被検体を保護する曲面枠形状のガード９３ｃを有し、ｘ軸に沿った横幅が一定で且つ天板９１の横幅よりも長い。
【００３７】
図１へ戻って、位置情報検出部１１は、機構駆動部１０の撮像系移動機構駆動部１０１から保持装置８の各種移動機構部の各々に供給される駆動信号に基づいて保持部８１及びこの保持部８１に取り付けられた撮像系の位置情報を検出し、更に、天板移動機構駆動部１０２から寝台部９の各種移動機構部の各々に供給される駆動信号に基づいて寝台部９に設けられた天板９１の位置情報を検出する。
【００３８】
記憶回路１２は、ＨＤＤ（Hard Disk Drive）など電気的情報を記録するメモリと、それらメモリに付随するメモリコントローラやメモリインタフェースなどの周辺回路とを備えている。記憶回路１２は、システム制御回路１６及び処理回路１３に実行されるプログラムと、被検体１５０のサイズ情報（半円筒形状の半径ｒ１のモデル）、撮像系及び保持部のサイズ情報、天板９１のサイズ情報を記憶している。これらのサイズ情報は、撮像系及び保持部の位置情報や天板９１の位置情報と共に、干渉物の位置及びサイズの特定に用いられる。これに加え、記憶回路１２は、Ｘ線画像から検出可能なランドマーク情報と、ランドマーク情報に対応する対象物の位置及びサイズとを関連付けて記憶している。ここで、ランドマーク情報としては、Ｘ線画像から検出可能な情報であればよく、例えば、類似度判定に用いる画像、又はパターン認識に用いる特徴量などが適宜、使用可能となっている。本明細書中では、ランドマーク情報が画像の場合を例に挙げて述べる。具体的には例えば、記憶回路１２は、図４及び図５に示すように、ランドマーク画像Ｇ１を含む画像ファイルＦ１，Ｆ２，…を記憶すると共に、当該画像ファイルＦ１，Ｆ２，…を識別する画像ファイル名と、対象物の位置及びサイズとを関連付けて記述したテーブルＴＢとを記憶する。なお、これに限らず、記憶回路１２は、ランドマーク画像と、対象物の位置及びサイズを示す付帯情報とを含む画像ファイルをランドマーク毎に記憶してもよい。この場合でも、ランドマーク画像と、対象物の位置及びサイズとを関連付けて記憶することに変わりはない。
【００３９】
ここで、ランドマークとしては、例えば、（ａ）ＣＡＲＴＯ（登録商標）の磁気パッド、（ｂ）延長補助天板９３のエッジ、（ｃ）頭部固定器具、（ｄ）ファントム、及び（ｅ）被検体１５０の下肢の骨、などが適宜、使用可能となっている。
【００４０】
（ａ）始めに、磁気パッドの例について述べる。画像ファイルＦ１内のランドマーク画像Ｇ１は、ランドマークｍｋ１のＸ線画像である。ランドマークｍｋ１は、カテーテルアブレーション治療において磁気を利用し心腔内のマッピングを行うＣＡＲＴＯシステムに使用される３つの磁気パッドのうちの一つである。この磁気パッドは、当該マッピングのために磁気を発生させる装置であり、ロケーションパッド（Location Pad）と呼ばれる装置の所定位置に配置される。ランドマークｍｋ１の磁気パッドは、目印(landmark)となる特徴的な形状を有しており、図６及び図７に示すように、ロケーションパッドＬｐの一部として天板９１の裏側に装着される。なお、ロケーションパッドのサイズは、図５乃至図７に示すように、例えば、略立方体のサイズとして特定可能である。ロケーションパッドＬｐを取り付けた位置は、取り付け毎に天板９１のｙ軸方向に沿って多少前後するものの、Ｘ線画像内のランドマークｍｋ１の位置として特定可能である。ロケーションパッドＬｐが天板９１の裏側に装着された場合、天板９１の横幅が頭部側で狭くても、ロケーションパッドＬｐの横幅に応じて、干渉判定領域Ｒ０の横幅が延長される。
【００４１】
（ｂ）次に、延長補助天板９３のエッジについて述べる。ＣＴ組合せ用の延長補助天板９３は、アンギオグラフィの天板９１よりも長めである事に加え、頭部側・胴部側で切り欠きをもつ天板９１とは異なり、全部が横長で衝突し易い。このような延長補助天板９３は、例えばガード９３ｃを取り付けたエッジをランドマークとして検出することにより、位置及びサイズを特定可能である。なお、従来は、延長補助天板９３の有無をディップスイッチのオン／オフ操作で設定していた。本実施形態では、Ｘ線画像内のランドマーク（延長補助天板９３のエッジ）に基づいて、延長補助天板９３があることを検出できるので、リアルタイムで使用し易い。なお、延長補助天板９３は、エッジをランドマークとして使用可能なため、ガード９３ｃ等にランドマークを付ける必要がない。
【００４２】
（ｃ）次に、頭部固定器具について述べる。頭部固定器具は、上方から見た四隅をランドマークに用いる場合、被検体１５０毎に頭部のサイズが異なっていても、一律に位置及びサイズを特定できる。但し、頭部固定器具の四隅は、ランドマークにならない場合（特徴的な形状をもたない場合）がある。そのため、頭部固定器具としては、四隅にランドマークを有する器具を使うことが好ましい。
【００４３】
（ｄ）次に、ファントムについて述べる。ファントムは、医師が手技に用いるものではなく、サービスマンがキャリブレーション等に用いる。この種のファントムとしては、例えば、複数の位置決め用の鋼球がらせん状に表面に配列されたヘリックスファントムがある。ファントムの一部をランドマークとして検出した場合、サービスマンによるキャリブレーション中であって、Ｘ線検出器３がファントムや天板９１等に接触する可能性が少ないことから、減速・停止を伴う干渉制御をオフにするように設定してもよい。
【００４４】
（ｅ）次に、下肢の骨について述べる。上記（ａ）〜（ｄ）は、オプション器具であるが、この（ｅ）は被検体１５０の一部である。下肢の骨は、特徴的な形状を有しており、ランドマークとして使用可能である。下肢（足）は、胴体回りよりも細い。一般に、図６及び図７に示すように、被検体１５０のサイズ（ｆ１（ｒ１，θ１））は、被検体１５０の体軸中心から半円筒形状（かまぼこ形状）で半径ｒ１（例、３０ｃｍ）のモデルで特定している。これに対し、本実施形態では、下肢付近のサイズ（ｆ２（ｒ２，θ１））を、被検体１５０の体軸中心から半円筒形状で半径ｒ２（例、２０ｃｍ）のモデルで特定し、半径ｒ１のモデルよりも小さくすることができる。
【００４５】
処理回路１３は、記憶回路１２内の処理プログラムを呼び出し実行することにより、プログラムに対応する特定機能１３ａ、導出機能１３ｂ及び更新機能１３ｃを実現するプロセッサである。なお、図１においては単一の処理回路１３にて特定機能１３ａ、導出機能１３ｂ及び更新機能１３ｃが実現されるものとして説明したが、複数の独立したプロセッサを組み合わせて処理回路を構成し、各プロセッサがプログラムを実行することにより各機能を実現するものとしても構わない。
【００４６】
ここで、特定機能１３ａは、記憶回路１２内のランドマーク情報を参照することにより、画像生成回路６により生成されたＸ線画像から対象物の位置及びサイズを特定する機能である。例えばランドマーク情報が画像の場合、特定機能１３ａは、画像生成回路６により生成されたＸ線画像内のランドマーク画像に基づいて、記憶回路１２から対象物の位置及びサイズを特定する機能である。また例えば、ランドマーク情報が特徴量の場合、特定機能１３ａは、画像生成回路６により生成されたＸ線画像から特徴量を抽出し、当該特徴量に基づいて、記憶回路１２から対象物の位置及びサイズを特定する機能である。
【００４７】
導出機能１３ｂは、当該特定した位置及びサイズと、Ｘ線画像の幾何学的な撮影条件とに基づいて、対象物、天板及び被検体を含む干渉物の位置及びサイズを導出する機能である。
【００４８】
更新機能１３ｃは、当該導出した位置及びサイズに基づいて、Ｘ線発生部２及びＸ線検出器３を含む保持装置８全体と干渉物との間の干渉判定領域を更新する機能である。
【００４９】
警報発生部１４は、例えば、図示しないブザー又はスピーカを備え、システム制御回路１６において撮像系あるいは保持部８１が被検体１５０の周囲に設定された干渉判定領域に到達したことが検出されたならば、その検出結果に基づいて警報音を発生する。
【００５０】
入力インタフェース回路１５は、関心領域（ＲＯＩ）の設定などを行うためのトラックボール、スイッチボタン、マウス、キーボード、操作面へ触れることで入力操作を行うタッチパッド、及び表示画面とタッチパッドとが一体化されたタッチパネルディスプレイ等によって実現される。入力インタフェース回路１５は、システム制御回路１６に接続されており、操作者から受け取った入力操作を電気信号へ変換し、システム制御回路１６へと出力する。なお、本明細書において入力インタフェース回路１５はマウス、キーボードなどの物理的な操作部品を備えるものだけに限られない。例えば、装置とは別体に設けられた外部の入力機器から入力操作に対応する電気信号を受け取り、この電気信号を制御回路へ出力する電気信号の処理回路も入力インタフェース回路１５の例に含まれる。
【００５１】
システム制御回路１６は、図示しないプロセッサとメモリを備え、入力インタフェース回路１５にて入力あるいは設定された上述の各種情報がメモリに保存される。そして、プロセッサは、これらの入力情報や設定情報に基づいてＸ線診断装置１００の各ユニットを統括的に制御し、被検体１５０に対し安全かつ効率のよいＸ線撮影を行なう。
【００５２】
これに加え、システム制御回路１６は、干渉防止機能に関し、処理回路１３により更新された干渉判定領域に基づいて、保持装置８によるＸ線発生部２やＸ線検出器３の移動を制御する制御機能をもっている。
【００５３】
次に、以上のように構成されたＸ線診断装置の動作について図８のフローチャート及び図９の模式図を用いて説明する。  
被検体１５０のＸ線撮影に先立ち、Ｘ線診断装置１００の操作者は、入力インタフェース回路１５より被検体情報の入力やＸ線照射条件の設定を行ない、更に、保持装置８の保持部（Ｃアーム）８１に取り付けられた撮像系や被検体１５０が載置された寝台部９の天板９１を所定の位置（初期位置）に移動／回動させる。
【００５４】
このとき、位置情報検出部１１は、上述の天板９１及び撮像系の移動／回動に際し機構駆動部１０の天板移動機構駆動部１０２から寝台部９の水平移動機構部及び垂直移動機構部に供給される駆動信号に基づいて天板９１の初期位置情報を検出し、同様にして、撮像系移動機構駆動部１０１から保持装置８の保持部スライド機構部、保持部ホルダ回動機構部、スタンド回動機構部、床旋回アーム回動機構部及び撮像系スライド機構部の各々に供給される駆動信号に基づいて保持部８１及びこの保持部８１に取り付けられた撮像系の初期位置情報を検出する。
【００５５】
処理回路１３は、位置情報検出部１１から供給される天板９１の初期位置情報と、記憶回路１２内の被検体１５０のサイズ情報、撮像系及び保持部のサイズ情報、天板のサイズ情報に基づき、天板９１に載置された被検体１５０の周囲に干渉判定領域を設定する。
【００５６】
次に、操作者は、入力インタフェース回路１５においてＸ線透視の開始コマンドを入力することにより被検体１５０に対するＸ線透視を開始し、このときＸ線撮影部１及び画像生成回路６によって生成される透視画像データの観測下にて撮像系を所望位置に向けて移動させる。
【００５７】
一方、位置情報検出部１１は、撮像系の移動に際して機構駆動部１０の撮像系移動機構駆動部１０１から保持装置８の保持部スライド機構部及び保持部ホルダ回動機構部に供給される駆動信号と、保持部８１及び撮像系の初期位置情報に基づき移動中の保持部８１及び撮像系の位置情報を検出する。
【００５８】
ここで、処理回路１３は、図８に示すように、特定機能１３ａにより、画像生成回路６により生成されたＸ線画像と、記憶回路１２内のランドマーク画像Ｇ１，…とに基づいて、Ｘ線画像からランドマーク画像を検出する（ステップＳＴ１０）。例えば、処理回路１３は、図４に示すランドマークｍｋ１を示すランドマーク画像を、図９に示すＸ線画像Ｇ２から検出する。しかる後、処理回路１３は、Ｘ線画像内のランドマーク画像に基づいて、記憶回路１２から対象物の位置及びサイズを特定する（ステップＳＴ２０）。この例では、対象物はロケーションパッドＬｐである。
【００５９】
処理回路１３は、導出機能１３ｂにより、当該特定した位置及びサイズと、Ｘ線画像の幾何学的な撮影条件とに基づいて、対象物であるロケーションパッドＬｐ、天板９１及び被検体１５０を含む干渉物の位置及びサイズを導出する（ステップＳＴ３０）。Ｘ線画像の幾何学的な撮影条件としては、保持部８１及び撮像系の位置情報及びサイズ情報、被検体モデルの位置情報及びサイズ情報、天板９１の位置情報及びサイズ情報などがある。
【００６０】
続いて、処理回路１３は、更新機能１３ｃにより、当該導出した位置及びサイズに基づいて、Ｘ線発生部２及びＸ線検出器３を含む保持装置８全体と干渉物との間の干渉判定領域Ｒ０を更新する（ステップＳＴ４０）。
【００６１】
しかる後、システム制御回路１６は、更新された干渉判定領域Ｒ０に基づき、撮像系の移動／回動に際し機構駆動部１０を介して保持装置８によるＸ線発生部２やＸ線検出器３の移動を制御する（ステップＳＴ５０）。例えば、システム制御回路１６は、Ｘ線撮影の際に、常に、撮像系と干渉物との間のクリアランス（距離）を算出し、クリアランスがしきい値以下になる干渉判定領域Ｒ０に撮像系が入ると、警告音を鳴動させつつ、保持装置８を減速又は停止させる。一方、撮像系が干渉判定領域に到達していない場合、撮像系の移動／回動を通常速度で実行する。また、ステップＳＴ５０の処理は、ランドマークをもつ対象物を移動又は除外しない場合に繰り返し実行される（ステップＳＴ６０：Ｎｏ）。これは、対象物を移動又は除外しない場合、ステップＳＴ３０で導出された干渉物の位置及びサイズが変わらないからである。なお、対象物を移動又は除外した場合、Ｘ線診断装置は、ステップＳＴ１０に戻る。
【００６２】
次いで、Ｘ透視画像データの観察下にて撮像系の低速度移動／回動を行ない、この撮像系が被検体１５０の所望位置に設定されたならば入力インタフェース回路１５において撮像系の移動／回動を停止させるためのコマンド信号とＸ線撮影を開始するためのコマンド信号を入力する。
【００６３】
そして、これらのコマンド信号を受信したシステム制御回路１６は、予め設定されたＸ線撮影条件に基づいて被検体１５０に対するＸ線撮影を開始する。
【００６４】
上述したように本実施形態によれば、Ｘ線画像内のランドマーク画像に基づいて、記憶手段（記憶回路１２）から対象物の位置及びサイズを特定する。当該特定した位置及びサイズと、Ｘ線画像の幾何学的な撮影条件とに基づいて、対象物、天板９１及び被検体１５０を含む干渉物の位置及びサイズを導出する。当該導出した位置及びサイズに基づいて、Ｘ線発生部２及びＸ線検出器３を含む保持装置８全体と干渉物との間の干渉判定領域Ｒ０を更新する。当該更新された干渉判定領域Ｒ０に基づいて、移動を制御する。従って、干渉防止機能について、安全性を維持しつつ臨床有用性を向上させることができる。
【００６５】
補足すると、本実施形態では、干渉判定領域を手技中に変更できない従来とは異なる。具体的には本実施形態では、Ｘ線画像内のランドマーク画像に基づいて対象物を検出するため、対象物に応じて干渉物のサイズを変更し、撮像系と干渉物との間のしきい値に対応する干渉判定領域Ｒ０を変更できる。すなわち、本実施形態では、対象物（例、オプション機器の有無と、対象物の位置とが、対象物のランドマークを検出することで分かる。また、対象物のサイズが予め分かっているので、対象物のサイズに応じて干渉物のサイズを変更し、干渉判定領域を変更できる。
【００６６】
これに加え、本実施形態では、従来の干渉防止機能では不可能な、実際の干渉物に最適化された必要最小限の干渉判定領域を設けることが可能である。従来の干渉防止機能は、寝台及び被検体以外を認識できないため、安全性を担保する観点から、平均的なモデルに基づき、移動体を減速又は停止させる領域を実際よりも広めに設定している。このため、無駄に減速又は停止するようにも見えることから、臨床有用性が低いという印象を医者等のユーザから持たれる可能性がある。これに対し、本実施形態では、寝台及び被検体以外の対象物を認識できるので、実際の干渉物に応じて最適化された必要最小限の干渉判定領域を設定することができる。
【００６７】
これに加え、専用のセンサ・治具等を追加することなく、手技中に最適な干渉判定領域に更新することで安全性を担保しつつ手技効率の向上を実現することができる。
【００６８】
また、従来の干渉判定領域は、固定的で使い勝手が悪かった。これに対し、本実施形態の干渉判定領域は、システム情報（Ｘ線画像）に応じてリアルタイムで常に更新することにより、流動的で使い勝手が良くなっている。
【００６９】
＜第２の実施形態＞
次に、第２の実施形態に係るＸ線診断装置について図１を参照しながら説明する。なお、前述した図面と同一部分には同一符号を用いて重複した説明を省略し、ここでは異なる部分について主に述べる。以下の各実施形態も同様にして重複した説明を省略する。
【００７０】
第２の実施形態は、第１の実施形態の変形例であり、より一層、無駄な減速又は停止を避ける観点から、既に動作済みの軌跡上には干渉物がないとみなして、干渉判定領域から除外する構成となっている。
【００７１】
具体的には、記憶回路１２は、前述したプログラムや情報などに加え、Ｘ線発生部２及びＸ線検出器３を含む保持装置８全体の移動した軌跡を示す動作履歴を保持する。
【００７２】
これに伴い、処理回路１３の更新機能１３ｃは、前述した機能において、記憶回路１２内の動作履歴に基づいて、当該軌跡に対応する領域を除外するように干渉判定領域を更新する。
【００７３】
また、システム制御回路１６は、前述した機能において、記憶回路１２内の動作履歴に基づいて、干渉判定領域内での移動速度を変更してもよい。
【００７４】
他の構成は、第１の実施形態と同様である。
【００７５】
次に、以上のように構成されたＸ線診断装置について図１０のフローチャート及び図１１の模式図を用いて説明する。
【００７６】
今、図１０に示すように、前述同様に、ステップＳＴ１０〜ＳＴ４０が実行される。但し、記憶回路１２には、保持装置８全体が移動した軌跡を示す動作履歴が書き込まれる。動作履歴の書き込みは、例えば位置情報検出部１１が実行する。
【００７７】
ステップＳＴ４０の後、処理回路１３は、図１１に示すように、更新機能１３ｃにより、記憶回路１２内の動作履歴に基づいて、当該軌跡に対応する領域Ｒｄを除外（削減）するように干渉判定領域Ｒ０を更新する（ステップＳＴ４１）。なお、領域Ｒｄを除外するのは、検査開始後、Ｘ線照射し始めた（被検体１５０が天板９１上にいる）場合の動作のみである。これは、Ｘ線照射時には、被検体１５０が天板９１上にいるからである。検査準備時には、被検体１５０が天板９１上にいないので、もし検査準備時に領域Ｒｄを除外すると、その後、除外した領域Ｒｄに被検体１５０が載置される可能性があるからである。
【００７８】
システム制御回路１６は、更新した干渉判定領域に基づいて、移動を制御する（ステップＳＴ５０）。このとき、システム制御回路１６は、動作履歴に基づいて、干渉判定領域内での移動速度を変更してもよい。
【００７９】
いずれにしても、システム制御回路１６は、ある軌跡をＸ線検出器３が初めて移動する際には減速させる（時刻ｔ１〜ｔ２）。なお、ステップＳＴ４１で除外された領域Ｒｄ内（例、同じ軌跡）をＸ線検出器３が戻るときには、干渉物が存在しない可能性が高いので、減速・停止せずに移動可能である（ステップＳＴ５１）。このため、システム制御回路１６は、除外された領域Ｒｄ内でＸ線検出器３を減速させずに移動させる。
【００８０】
また、記憶回路１２は、保持装置８全体が移動した軌跡を示す動作履歴が書き込まれ、当該動作履歴を保持する（ステップＳＴ５２）。
【００８１】
以下、同様にステップＳＴ６０が実行され、ランドマークをもつ対象物を移動又は除外しない場合にステップＳＴ４１〜ＳＴ５２が繰り返し実行される（ステップＳＴ６０：Ｎｏ）。これは、対象物を移動又は除外しない場合、また同様に、対象物を移動又は除外した場合、Ｘ線診断装置は、ステップＳＴ１０に戻る。
【００８２】
従って、本実施形態によれば、保持装置８全体の移動した軌跡を示す動作履歴を保持し、動作履歴に基づいて、当該軌跡に対応する領域を除外するように干渉判定領域を更新する。従って、第１の実施形態の効果に加え、同じ軌跡を通過する際の無駄な減速又は停止を避けることができ、より一層、臨床有用性を向上させることができる。
【００８３】
例えば、特定の角度間（例、０°≦θ≦６０°）および基準セット位置から同じ角度へ移動する場合には、無駄な減速又は停止をしないので、ストレスを感じることなく、迅速且つ円滑に位置決めを実行できる。また、手技によっては特定の角度間および基準セット位置から同じ角度へ移動する状況がよくあるので、より一層、臨床有用性を向上させることができる。
【００８４】
以上のような第２の実施形態の効果は、動作履歴に基づいて、干渉判定領域内での移動速度を変更する場合であっても、同様に得ることができる。
【００８５】
＜第３の実施形態＞
図１２は、第３の実施形態に係るＸ線診断装置の構成を示す模式図である。  
第３の実施形態は、第２の実施形態の変形例であり、領域Ｒｄを除外して小さくなった干渉判定領域Ｒ０を、安全性を担保する観点から、所定の条件を満たした場合に初期値（領域Ｒｄを除外する前の大きさ）に戻す構成となっている。
【００８６】
詳しくは、第３の実施形態は、時間経過や、特定プログラム（３Ｄ撮影等）及び検査切り替え等によって、被検体１５０を動かしたときなどには、干渉物の位置が変わっていることから、干渉判定領域Ｒ０をデフォルト（初期最大判定領域）に戻す形態となっている。
【００８７】
具体的には、処理回路１３は、所定の条件を満たす場合をトリガとして、除外した領域Ｒｄを戻すように干渉判定領域Ｒ０を初期化する初期化機能１３ｄを更に備えている。
【００８８】
ここで、所定の条件としては、例えば、（ａ）所定時間の経過、（ｂ）天板９１の移動、（ｃ）所定プログラムの使用、（ｄ）Ｘ線検出器３のパーク位置への移動、又は（ｅ）検査終了、などが適宜、使用可能となっている。これら５個の条件は、少なくとも１個あればよく、任意の組合せで実装可能である。
【００８９】
（ａ）所定時間の経過という条件は、例えば、手技が長引いた場合の被検体１５０の体動を意味することに基づいている。例えば、数時間実施されるＥＰ（内視鏡的乳頭部切除術）においては、被検体１５０の体動などのため、最後の方では干渉判定領域Ｒ０が被検体１５０に接近している可能性がある。このため、所定時間の経過で初期値に戻すことが有効である可能性がある。
【００９０】
（ｂ）天板９１の移動という条件は、天板９１の高さを変えることが、被検体１５０の移動を意味することに基づいている。
【００９１】
（ｃ）所定プログラムの使用という条件は、被検体１５０や保持装置８が大きく移動する撮影プログラム種の選択（３Ｄ撮影等）を意味することに基づいている。撮影前と同じ位置に戻ったと初期化機能１３ｄが判定した場合には、干渉判定領域を復元する。
【００９２】
（ｄ）パーク位置への移動という条件は、パーク位置への移動が、検査終了で次の被検体１５０の載置を意味することに基づいている。
【００９３】
（ｅ）検査終了という条件は、検査終了で次の被検体１５０の載置を意味することに基づいている。
【００９４】
他の構成は、第２の実施形態と同様である。
【００９５】
次に、以上のように構成されたＸ線診断装置について図１３のフローチャートを用いて説明する。
【００９６】
今、前述同様に、ステップＳＴ１０〜ＳＴ５２が実行される。  
処理回路１３は、初期化機能１３ｄにより、所定の条件を満たすか否かを判定し（ステップＳＴ５３）、所定の条件を満たす場合をトリガとして、除外した領域Ｒｄを戻すように干渉判定領域Ｒ０を初期化する。例えば、所定時間が経過した場合をトリガとして、ステップＳＴ１０に戻ることにより、干渉判定領域Ｒ０を初期化する（ステップＳＴ５３：Ｙｅｓ）。一方、所定の条件を満たさない場合には、ステップＳＴ６０に進む。
【００９７】
以下、同様にステップＳＴ６０が実行され、ランドマークをもつ対象物を移動又は除外しない場合にステップＳＴ４１〜ＳＴ５３が繰り返し実行される（ステップＳＴ６０：Ｎｏ）。また、ステップＳＴ６０において、対象物を移動又は除外した場合には、Ｘ線診断装置は、ステップＳＴ１０に戻り、新たにステップＳＴ１０からの処理を実行する。
【００９８】
従って、本実施形態によれば、所定の条件を満たす場合をトリガとして、除外した領域Ｒｄを戻すように干渉判定領域Ｒ０を初期化する構成により、第２の実施形態の効果に加え、より一層、安全性を担保することができる。
【００９９】
補足すると、臨床有用性のみを重視して干渉判定領域Ｒ０を削り続けた結果、干渉を防止できない状況が発生することを阻止するため、適切な条件下で干渉判定領域Ｒ０を初期化している。従って、より一層、安全性を担保することができる。
【０１００】
＜第４の実施形態＞
次に、第４の実施形態に係るＸ線診断装置について図１を用いて説明する。  
第４の実施形態は、第２又は第３の各実施形態の変形例であり、削除した領域Ｒｄ内での移動速度を、干渉判定領域内の移動速度より高い範囲で減速する等の連続的な制御（例、ファジー制御）を行い、臨床有用性と安全性とを両立させる形態である。
【０１０１】
補足すると、第２の実施形態の場合、削除した領域Ｒｄ内では通常速度で移動させ、干渉判定領域内では減速又は停止させるといった離散的なオン／オフを実施している。この場合、干渉物に接触しない範囲で非常に接近しており、少しの体動で接触するといった可能性がある。
【０１０２】
第４の実施形態は、このような可能性を考慮し、移動速度（又は減速率）を制御することにより、臨床有用性と安全性との両立を図っている。
【０１０３】
これに伴い、システム制御回路１６は、前述した機能に加え、干渉判定領域を削った場合の移動速度をクリアランスによって調整する機能をもっている。具体的には、システム制御回路１６は、保持装置８全体と干渉物との間のクリアランスが小さくなる動作に応じて干渉判定領域が更新される場合には、除外された領域Ｒｄ内での移動速度を低下させるように移動を制御する機能をもっている。
【０１０４】
例えば、干渉判定領域Ｒ０内に基準値を設けた場合には、システム制御回路１６は、保持装置８全体と干渉物との間のクリアランスが基準値より小さいとき、除外された領域Ｒｄ内での移動速度を低下させるように移動を制御する機能をもっている。ここで、基準値は、干渉判定領域の内部に設定され、保持装置８全体と干渉物との接触リスクが高まる境界の距離を意味する。
【０１０５】
但し、システム制御回路１６は、必ずしも基準値を境界として移動速度を切り替える場合に限定されない。例えば、干渉判定領域Ｒ０内に基準値を設けない場合には、システム制御回路１６は、保持装置８全体と干渉物との間のクリアランスが小さくなるに従い、除外された領域Ｒｄ内での移動速度を、干渉判定領域Ｒ０外での移動速度よりも小さい値で連続的に又は断続的に低下させるように移動を制御する機能をもっている。
【０１０６】
他の構成は、第２又は第３の実施形態と同様である。
【０１０７】
次に、以上のように構成されたＸ線診断装置について図１４のフローチャート、図１５乃至図１７の模式図を用いて説明する。以下の説明は、システム制御回路１６の機能に関して、干渉判定領域Ｒ０内に基準値を設けた場合を例に挙げて述べる。
【０１０８】
今、前述同様に、ステップＳＴ１０〜ＳＴ５０が実行される。  
システム制御回路１６は、保持装置８全体と干渉物との間のクリアランスが基準値より小さいか否かを判定する（ステップＳＴ５０−１）。ステップＳＴ５０−１の判定の結果、図１５に示すように、クリアランスＣＬが基準値より小さいとき、除外された領域Ｒｄ内での移動速度ｖ２を低下させるように移動を制御し（ステップＳＴ５０−２）、ステップＳＴ５２に移行する。すなわち、クリアランスＣＬが小さいときには、干渉物に接触する可能性があるので、干渉判定領域Ｒ０外の移動速度ｖ１よりも減速する必要がある。一方、干渉判定領域Ｒ０内の移動速度ｖ３まで減速すると、臨床有用性が低くなる。そこで、この例では、図１６（ａ）に示すように、両移動速度ｖ１，ｖ３の間の移動速度として、除外された領域Ｒｄでの移動速度ｖ２を定めている。なお、移動速度ｖ２は、一定の値でもよい。ここで、各移動速度ｖ２，ｖ３は、干渉判定領域Ｒ０外の移動速度ｖ１に対する減速率ηに基づいて調整してもよい。例えば図１６（ｂ）に示すように、除外された領域Ｒｄ内の減速率ηｄ（例、２５±１０％）は、干渉判定領域Ｒ０内の減速率η０（５０％）よりも小さくすればよい（ηｄ＜η０）。すなわち、各移動速度ｖ２，ｖ３は、次式に示すように調整してもよい。
【０１０９】
ｖ２＝（１−ηｄ）・ｖ１、ηｄ＝２５±１０％より、０．６５・ｖ１≦ｖ２≦０．８５・ｖ１。なお、移動速度ｖ２は、ｖ２＝０．７５・ｖ１のように一定の値でもよい。
【０１１０】
ｖ３＝（１−η０）・ｖ１、η０＝５０％より、ｖ３＝０．５・ｖ１。
【０１１１】
但し、クリアランスが小さいときの減速率ηｄ，η０の値は、これに限らず、大小関係（０＜ηｄ＜η０＜１）を満たす範囲で所望の値に設定可能である。同様に、クリアランスが小さいときの移動速度ｖ１，ｖ２，ｖ３の値も、大小関係（ｖ３＜ｖ２＜ｖ１）を満たす範囲で所望の値に設定可能である。
【０１１２】
また、干渉判定領域Ｒ０内の移動速度ｖ３は、最初に干渉判定領域Ｒ０内を移動するときの速度である。クリアランスが小さい場合、最初に移動した軌跡と同じ軌跡を移動する際には、移動速度ｖ２で移動する。
【０１１３】
一方、ステップＳＴ５０−１の判定の結果、否のとき、ステップＳＴ５１に移行する。図１７に示すように、クリアランスＣＬが基準値以上のときには、干渉物に接触する可能性がほぼないので、ステップＳＴ５１では、干渉判定領域Ｒ０外の移動速度ｖ１よりも減速する必要がない。そこで、この例では、最初に干渉判定領域Ｒ０内を移動するときに移動速度ｖ３で移動し、最初に移動した軌跡と同じ軌跡を移動する際には、移動速度ｖ１で移動する。
【０１１４】
しかる後、前述同様に、ステップＳＴ５２以降の処理を実行する。
【０１１５】
従って、第４の実施形態によれば、保持装置８全体と干渉物との間のクリアランス（距離）が小さくなる動作に応じて干渉判定領域が更新される場合には、除外された領域Ｒｄ内での移動速度を低下させるように移動を制御する構成により、第２又は第３の実施形態の効果に加え、臨床有用性と安全性との両立を実現できる。
【０１１６】
また、第４の実施形態は、干渉判定領域Ｒ０内に基準値を設けた場合を例に挙げて説明したが、これに限らず、干渉判定領域Ｒ０内に基準値を設けない場合であっても、同様の効果を得ることができる。
【０１１７】
干渉判定領域Ｒ０内に基準値を設けない場合、システム制御回路１６は、図１８（ａ）に示すように、保持装置８全体と干渉物との間のクリアランスが小さくなるに従い、除外された領域Ｒｄ内での移動速度ｖ２を、干渉判定領域Ｒ０外での移動速度ｖ１よりも小さい値で連続的に又は断続的に低下させるように移動を制御する。
【０１１８】
図１８（ａ）中、実線は、比較用の図１６中の移動速度ｖ２を示している。  
一点鎖線は、クリアランスが干渉判定領域Ｒ０の初期値以下になった際に、移動速度ｖ１よりも小さい値の移動速度ｖ２を断続的に低下させた場合の例を示している。すなわち、干渉判定領域Ｒ０の初期値近傍では、移動速度ｖ２を固定値とし、干渉判定領域Ｒ０の初期値から離れた領域では、移動速度ｖ２を変動値として低下させている。なお、断続的な低下の方法としては、前述した変動値（傾斜部）をもつ場合に限らず、傾斜部を持たずに階段状に低下させる手法を用いてもよい。
【０１１９】
二点鎖線は、クリアランスが干渉判定領域Ｒ０の初期値以下になった際に、移動速度ｖ１よりも小さい値の移動速度ｖ２を連続的に低下させた場合の例を示している。ここで、移動速度ｖ２の傾きは、一定でもよく、折れ線のように変えてもよい。
【０１２０】
図１８（ｂ）は、図１８（ａ）中の各線で示す移動速度ｖ２に対応する減速率ηｄを示している。すなわち、移動速度ｖ２を低下する場合に限らず、減速率ηｄを増加させてもよい。例えば、システム制御回路１６は、図１８（ｂ）に示すように、保持装置８全体と干渉物との間のクリアランスが小さくなるに従い、除外された領域Ｒｄ内での減速率ηｄを、干渉判定領域Ｒ０外での減速率よりも大きい値で連続的に又は断続的に増加させるように移動を制御してもよい。
【０１２１】
以上説明した少なくとも一つの実施形態によれば、Ｘ線画像内のランドマーク画像に基づいて、記憶手段（記憶回路１２）から対象物の位置及びサイズを特定する。当該特定した位置及びサイズと、Ｘ線画像の幾何学的な撮影条件とに基づいて、対象物、天板９１及び被検体１５０を含む干渉物の位置及びサイズを導出する。当該導出した位置及びサイズに基づいて、Ｘ線発生部２及びＸ線検出器３を含む保持装置８全体と干渉物との間の干渉判定領域Ｒ０を更新する。当該更新された干渉判定領域Ｒ０に基づいて、移動を制御する。従って、干渉防止機能について、安全性を維持しつつ臨床有用性を向上させることができる。
【０１２２】
なお、各実施形態は、撮像系がその端部に装着された床置きＣアームを保持部８１とする循環器用のＸ線診断装置について述べたが、これに限定されない。各実施形態は、例えば、保持部が天井吊りのＣアームやΩアームであってもよく、又、循環器診断と消化器診断に対応した汎用のＸ線診断装置であっても構わない。
【０１２３】
上記説明において用いた「プロセッサ」という文言は、例えば、CPU（central processing unit）、GPU(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【０１２４】
各実施形態におけるＸ線発生部２は、特許請求の範囲におけるＸ線発生部の一例である。各実施形態におけるＸ線検出器３は、特許請求の範囲におけるＸ線検出器の一例である。各実施形態における保持装置８は、特許請求の範囲における保持手段の一例である。各実施形態における投影データ生成回路４及び画像生成回路６は、特許請求の範囲における画像生成手段の一例である。各実施形態における記憶回路１２は、特許請求の範囲における記憶手段及び履歴保持手段の一例である。各実施形態における処理回路１３及び特定機能１３ａは、特許請求の範囲における特定手段の一例である。各実施形態における処理回路１３及び導出機能１３ｂは、特許請求の範囲における導出手段の一例である。各実施形態における処理回路１３及び更新機能１３ｃは、特許請求の範囲における更新手段の一例である。各実施形態におけるシステム制御回路１６は、特許請求の範囲における制御手段の一例である。各実施形態における処理回路１３及び初期化機能１３ｄは、特許請求の範囲における初期化手段の一例である。
【０１２５】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【０１２６】
１…Ｘ線撮影部、２…Ｘ線発生部、３…Ｘ線検出器、４…投影データ生成回路、５…高電圧発生部、６…画像生成回路、７…表示回路、８…保持装置、９…寝台部、１０…機構駆動部、１１…位置情報検出部、１２…記憶回路、１３…処理回路、１３ａ…特定機能、１３ｂ…導出機能、１３ｃ…更新機能、１３ｄ…初期化機能、１４…警報発生部、１５…入力インタフェース回路、１６…システム制御回路、８１…保持部、８２…保持部ホルダ、８３…スタンド、８４…床旋回アーム、９１…天板、９２…寝台、９３…延長補助天板、１００…Ｘ線診断装置、１０１…撮像系移動機構駆動部、１０２…天板移動機構駆動部、１０３…機構駆動制御部、１５０…被検体、１６０…床面、ＣＬ…クリアランス、Ｇ１…ランドマーク画像、Ｆ１，Ｆ２…画像ファイル、Ｌｐ…ロケーションパッド、Ｒ０…干渉判定領域、Ｒｄ…除外した領域、ＴＢ…テーブル、ｍｋ１…ランドマーク。
【図１】
2018075132.tif 000003
【図２】
2018075132.tif 000004
【図３】
2018075132.tif 000005
【図４】
2018075132.tif 000006
【図５】
2018075132.tif 000007
【図６】
2018075132.tif 000008
【図７】
2018075132.tif 000009
【図８】
2018075132.tif 000010
【図９】
2018075132.tif 000011
【図１０】
2018075132.tif 000012
【図１１】
2018075132.tif 000013
【図１２】
2018075132.tif 000014
【図１３】
2018075132.tif 000015
【図１４】
2018075132.tif 000016
【図１５】
2018075132.tif 000017
【図１６】
2018075132.tif 000018
【図１７】
2018075132.tif 000019
【図１８】
2018075132.tif 000020